(57)【要約】【課題】断面星形五角形で所定厚みの内部空間を有する組立式包装箱を提供する。【解決手段】折り目線で囲まれた星形五角形状部を有する前面側板２と後面側板３で構成する。前面側板の各三角形状突出部の左境界に側壁片１１ａ〜１１ｅを延設し、先に差込み舌片１３ａ〜１３ｅを突設し、側壁片の右側縁部にフラップ１５ａ〜１５ｅを延設する。各突出部の右境界に折込み片１７ａ〜１７ｅを延設し、折り目線の中央部に切込み１８ａ〜１８ｅを設ける。後面側板の各三角形状突出部の右境界に側壁片２１ａ〜２１ｅを延設し、先に差込み舌片２３ａ〜２３ｅを突設し、各突出部の左境界に折込み片２７ａ〜２７ｅを延設し、折り目線の中央部に切込み２８ａ〜２８ｅを設ける。前面側板の周辺紙片を後面側板側に、後面側板の周辺紙片を前面側板側に、フラップを鋭角に折り曲げて重ね合わせ、各差込み舌片を相手の切込みに差し込む。【選択図】図４
2009214885.tif 000002
【特許請求の範囲】
【請求項１】
断面星形五角形で所定厚みの内部空間を有する組立式包装箱であって、
前記組立式包装箱は前記厚みを決める複数の紙片を周辺に延設した前面側板（２）と後面側板（３）とから構成され、
前記前面側板と後面側板は、共に前記断面形状を決める星形五角形状部（４、５）がそれを囲む折り目線（６、７）を境界として形成されており、
前記前面側板（２）における前記星形五角形状部（４）から外方に伸びる５個の三角形状突出部（８ａ〜８ｅ）の各左境界には折り目線（６）を介して矩形の側壁片（１１ａ〜１１ｅ）が延設してあり、該側壁片における前記左境界に対向する縁部の中央部には折り目線（１２ａ〜１２ｅ）を介して差込み舌片（１３ａ〜１３ｅ）が突設してあり、前記側壁片における延設方向右側の縁部には折り目線（１４ａ〜１４ｅ）を介してフラップ（１５ａ〜１５ｅ）が延設してあり、前記各三角形状突出部の右境界には折り目線（６）を介して台形の折込み片（１７ａ〜１７ｅ）を延設して該折り目線（６）の中央部には前記差込み舌片と同一形状の差込み舌片を差し込むための切込み（１８ａ〜１８ｅ）が該折り目線（６）に沿って形成してあり、
前記後面側板（３）における前記星形五角形状部（５）から外方に伸びる５個の三角形状突出部（９ａ〜９ｅ）の各右境界には折り目線（７）を介して矩形の側壁片（２１ａ〜２１ｅ）が延設してあり、該側壁片における前記右境界に対向する縁部の中央部には折り目線（２２ａ〜２２ｅ）を介して差込み舌片（２３ａ〜２３ｅ）が突設してあり、前記各三角形状突出部の左境界には折り目線（７）を介して台形の折込み片（２７ａ〜２７ｅ）を延設して該折り目線（７）の中央部には前記差込み舌片と同一形状の差込み舌片を差し込むための切込み（２８ａ〜２８ｅ）が該折り目線（７）に沿って形成してあり、
前記前面側板（２）における前記各側壁片と各折込み片は各折り目線で前記後面側板（３）側に、前記後面側板（３）における前記各側壁片と各折込み片は各折り目線で前記前面側板（２）側に、前記各フラップ（１５ａ〜１５ｅ）は各側壁片に鋭角にそれぞれ折り曲げ、その状態で断面が星形五角形で所定厚みをもつ内部空間が形成されるように重ね合わせ、該状態にて前記各差込み舌片（１３ａ〜１３ｅ、２３ａ〜２３ｅ）を相手側側板の前記切込み（１８ａ〜１８ｅ、２８ａ〜２８ｅ）に差し込んで前後の側板（２、３）を固定することを特徴とする組立式包装箱。
【請求項２】
請求項１に記載の組立式包装箱において、前記前面側板（２）における前記星形五角形状部（４）から外方に伸びる５個の三角形状突出部を時計回りに第１、第２、第３、第４、第５の前面側突出部（８ａ〜８ｅ）と、該各突出部に対向する前記後面側板（３）の５個の三角形状突出部を第１、第２、第３、第４、第５の後面側突出部（９ａ〜９ｅ）と呼称するとき、
前記第５の前面側突出部（８ｅ）の右境界の折り目線（６）に沿って形成された前記切込み（１８ｅ）に接する前記第５の前面側突出部側には、該切込みの長さより短い長さを直径とする半円状の切欠き（２０）が、その中心を前記切込み（１８ｅ）の中央に位置して設けてあることを特徴とする組立式包装箱。
【請求項３】
請求項２に記載の組立式包装箱において、前記第１〜第５の前面側突出部（８ａ〜８ｅ）に延設した前記側壁片（１１ａ〜１１ｅ）には、延設左縁部の先端寄り部分に小矩形片（３１ａ〜３１ｅ）を延設して突出させ、
前記第１〜第４の後面側突出部（９ａ〜９ｄ）に延設した前記側壁片（２１ａ〜２１ｄ）には、延設右縁部であって、前記突出部の基端部より前記小矩形片（３１ａ〜３１ｅ）の幅寸法以上に離れた先端寄り部分に第２の小矩形片（４１ａ〜４１ｄ）を延設して突出させたことを特徴とする組立式包装箱。
【請求項４】
請求項３に記載の組立式包装箱において、第５の後面側突出部（９ｅ）に延設した前記側壁片（２１ｅ）に取り付けた前記差込み舌片（２３ｅ）を除く前記各差込み舌片（１３ａ〜１３ｅ、２３ａ〜２３ｄ）は、折り目線（１２ａ〜１２ｅ、２２ａ〜２２ｄ）側の基部に一方から該折り目線に平行な細い溝状切込み（３２ａ〜３２ｅ、４２ａ〜４２ｄ）を設けることにより鉤状に形成してあり、該差込み舌片を前記切込み（１８ａ〜１８ｅ、２８ａ〜２８ｄ）に差し込んだ状態では該鉤状の先端部（３３ａ〜３３ｅ、４３ａ〜４３ｄ）が切込みの形成されていない折り目線（７、６）部に当接することにより、差込み舌片を折り目線（７、６）に直角方向に引き抜くことができないように差込み舌片の取り付け位置、切込みの長さと位置の相互関係が調整してあることを特徴とする組立式包装箱。
【発明の詳細な説明】
【技術分野】
【０００１】
本発明は、内部に菓子等を収納して販売に用いる組立式包装箱に関し、特には外観を星形五角形にした見栄えの良い包装箱に関する。
【背景技術】
【０００２】
子供向けの菓子類を収納して販売に用いる包装箱には様々な形態がある。一般的なものとして断面四角形の角筒内に上面開口の内箱をスライド式に挿入したものがある。これを少し変形したものとして、内箱全体をスライドさせるのではなく内箱の一側面部分を斜めにスライド旋回して開口させ、内部の菓子等を取り出すようにしたものがある（特許文献１参照）。また、内箱を使用せずに直方体形状の紙製包装箱の側面上部に開閉自在な取出口を形成したものもある（特許文献２参照）。更には、弁当箱としても使用できる少し大きな箱として、同じ大きさの方形状をした一対の包体板を折り曲げて組み立てる組立式包装箱などもある（特許文献３参照）。
【０００３】
しかしながら、これらの包装箱は何れも外形が単純な直方体形状で代り映えがしない。そのため子供向けの菓子等を収納して販売する包装箱としては子供の購買心を引く魅力に欠ける。子供の購買心を刺激するため動物形状、マスコット形状等にした包装箱もあるが、魅力的である反面、製作費が高くなる問題がある。
【特許文献１】特開２００６−２４８５９３号公報
【特許文献２】実開平０７−３５３２５号公報
【特許文献３】特開２００４−１２３１３３号公報
【発明の開示】
【発明が解決しようとする課題】
【０００４】
本発明は、従来技術のこうした問題点を解決するためになされたもので、その課題は子供の購買意欲を喚起する魅力的な外観形状をなし、且つ製作コストが安く、短時間で組み立てられ、輸送運賃や保管スペースが少なくて済む組立式包装箱を提供することにある。
【課題を解決するための手段】
【０００５】
前記課題を解決するための手段を後述する実施形態の参照符号を付して記述する。請求項１に記載の発明は、断面星形五角形で所定厚みの内部空間を有する組立式包装箱であって、組立式包装箱１は前記厚みを決める複数の紙片を周辺に延設した前面側板２と後面側板３とから構成され、前面側板２と後面側板３は共に断面形状を決める星形五角形状部がそれを囲む折り目線６、７を境界として形成されており、前面側板２における星形五角形状部４から外方に伸びる５個の三角形状突出部８ａ〜８ｅの各左境界には折り目線６を介して矩形の側壁片１１ａ〜１１ｅが延設してあり、その側壁片１１ａ〜１１ｅにおける前記左境界に対向する縁部の中央部には折り目線１２ａ〜１２ｅを介して差込み舌片１３ａ〜１３ｅが突設してあり、側壁片１１ａ〜１１ｅにおける延設方向右側の縁部には折り目線１４ａ〜１４ｅを介してフラップ１５ａ〜１５ｅが延設してあり、各三角形状突出部８ａ〜８ｅの右境界には折り目線６を介して台形の折込み片１７ａ〜１７ｅを延設してその折り目線６の中央部には前記差込み舌片と同一形状の差込み舌片を差し込むための切込み１８ａ〜１８ｅが該折り目線６に沿って形成してあり、後面側板３における星形五角形状部５から外方に伸びる５個の三角形状突出部９ａ〜９ｅの各右境界には折り目線７を介して矩形の側壁片２１ａ〜２１ｅが延設してあり、その側壁片２１ａ〜２１ｅにおける前記右境界に対向する縁部の中央部には折り目線２２ａ〜２２ｅを介して差込み舌片２３ａ〜２３ｅが突設してあり、各三角形状突出部９ａ〜９ｅの左境界には折り目線７を介して台形の折込み片２７ａ〜２７ｅを延設してその折り目線７の中央部には前記差込み舌片と同一形状の差込み舌片を差し込むための切込み２８ａ〜２８ｅが折り目線７に沿って形成してあり、前面側板２における各側壁片と各折込み片は各折り目線で後面側板３側に、後面側板３における各側壁片と各折込み片は各折り目線で前面側板２側に、各フラップ１５ａ〜１５ｅは各側壁片に鋭角にそれぞれ折り曲げ、その状態で断面が星形五角形で所定厚みをもつ内部空間が形成されるように重ね合わせ、該状態にて各差込み舌片１３ａ〜１３ｅ、２３ａ〜２３ｅを相手側側板の切込み１８ａ〜１８ｅ、２８ａ〜２８ｅに差し込んで前後の側板２、３を固定することを特徴とする組立式包装箱である。
【０００６】
このような構成の組立式包装箱は２枚の前面側板と後面側板のみを用いて接着剤を使用することなく短時間で組み立てでき、製作コストが安くなる利点を有する。組立て前までは板状であるため輸送運賃や保管スペースも少なくて済む。また、後述の図１に示すように前面側板、後面側板を水平にした姿勢で多数個を積み重ねて陳列することも、図２に示すように立てて陳列することもできる。外観形状が星形五角形と魅力的であるため子供向け菓子などを入れて販売する包装箱として好適である。
【０００７】
また、請求項２に記載の発明は、請求項１に記載の組立式包装箱１において、前面側板２における星形五角形状部４から外方に伸びる５個の三角形状突出部を時計回りに第１、第２、第３、第４、第５の前面側突出部８ａ〜８ｅと、該各突出部に対向する後面側板３の５個の三角形状突出部を第１、第２、第３、第４、第５の後面側突出部９ａ〜９ｅと呼称するとき、第５の前面側突出部８ｅの右境界の折り目線６に沿って形成された切込み１８ｅに接する第５の前面側突出部８ｅ側には、その切込みの長さより短い長さを直径とする半円状の切欠き２０が、その中心を切込み１８ｅの中央に位置して設けてあることを特徴とする組立式包装箱である。
【０００８】
このような切欠きを設けておけば菓子等の出し入れ口の位置が明確になる上、口を開けるための差込み舌片の切込みからの抜き取りが容易となる。
【０００９】
また、請求項３に記載の発明は、請求項２に記載の組立式包装箱において、第１〜第５の前面側突出部８ａ〜８ｅに延設した側壁片１１ａ〜１１ｅには、延設左縁部の先端寄り部分に小矩形片３１ａ〜３１ｅを延設して突出させ、第１〜第４の後面側突出部９ａ〜９ｄに延設した側壁片２１ａ〜２１ｄには、延設右縁部であって、前記突出部の基端部より前記小矩形片の幅寸法以上に離れた先端寄り部分に第２の小矩形片４１ａ〜４１ｄを延設して突出させたことを特徴とする組立式包装箱である。
【００１０】
このような構成の組立式包装箱は、第２の小矩形片と小矩形片を設けたことにより側壁片同士の境界部が線と平面の接触になるため隙間が生じなくなる。従って、その境界部からの異物の侵入を防止できる。また、第２の小矩形片と小矩形片が隣り合う相手側側壁片の下側に潜り込んだ状態となって側壁片が開きにくくなるため箱の強度が著しく増して包装箱としての信頼性が向上する。
【００１１】
また、請求項４に記載の発明は、請求項３に記載の組立式包装箱において、第５の後面側突出部９ｅに延設した側壁片２１ｅに取り付けた差込み舌片２３ｅを除く各差込み舌片１３ａ〜１３ｅ、２３ａ〜２３ｄは、折り目線１２ａ〜１２ｅ、２２ａ〜２２ｄ側の基部に一方からその折り目線に平行な細い溝状切込み３２ａ〜３２ｅ、４２ａ〜４２ｄを設けることにより鉤状に形成してあり、その差込み舌片を対応する切込みに差し込んだ状態では鉤状の先端部３３ａ〜３３ｅ、４３ａ〜４３ｄが切込みの形成されていない折り目線７、６部に当接することにより、差込み舌片を折り目線６、７に直角方向に引き抜くことができないように差込み舌片の取り付け位置、切込みの長さと位置の相互関係が調整してあることを特徴とする組立式包装箱である。
【００１２】
このような構成によれば、差込み舌片が切込みから抜けにくくなるため箱の強度が著しく増して包装箱としての信頼性が向上する。
【発明を実施するための最良の形態】
【００１３】
以下、本発明に係る組立式包装箱の構成例を実施形態に分けて説明する。
（第１の実施形態）
本発明に係る組立式包装箱１は、断面星形五角形で所定厚みの内部空間を有する組立式包装箱である。図１はその組立式包装箱１を平面上に寝かせて置いた状態の斜視図であり、図２は平面上に立てて置いた状態の斜視図である。組立式包装箱１は、適宜厚さの厚紙を打ち抜いた２枚の厚紙板を折り曲げて組み立てられる。図３はその展開平面図であり、図３の（１）は図２の斜視図において前側に位置する前面側板２の外面側から見た展開平面図、図３の（２）は後側に位置する後面側板３の内面側から見た展開平面図である。
【００１４】
前面側板２、後面側板３共に中央部には組立式包装箱１の内部空間の断面形状を決める星形五角形状部４、５が、それを囲む折り目線６、７を境界として形成されている。星形五角形状部４、５は外方に伸びる５個の三角形状突出部を有する。前面側板２におけるその突出部を時計回りに第１、第２、第３、第４、第５の前面側突出部８ａ〜８ｅと呼称し、それらに対向する前記後面側板３の５個の三角形状突出部を第１、第２、第３、第４、第５の後面側突出部９ａ〜９ｅと呼称する。
【００１５】
三角形状突出部の周囲には、折り目線６、７を介して複数の紙片が延設されている。それら紙片の構成を最初に前面側板２について説明する。前面側板２の５個の前面側突出部８ａ〜８ｅの周囲に延設された紙片の構成は同じであるので、第１の前面側突出部８ａについて説明する。
【００１６】
第１の前面側突出部８ａにおける突出方向左境界には、折り目線６を介して矩形の側壁片１１ａが延設してある。側壁片１１ａの延設方向の幅は、組立式包装箱１の内部空間が必要とする厚み寸法に等しくしてある。側壁片１１ａにおける前記折り目線６に対向する縁部の中央部には、折り目線１２ａを介して差込み舌片１３ａが突設して設けてある。また、側壁片１１ａにおける延設方向右側の縁部には折り目線１４ａを介してフラップ１５ａが延設してある。
【００１７】
第１の前面側突出部８ａにおける突出方向右境界には、折り目線６を介して台形の折込み片１７ａが延設してある。折込み片１７ａと前面側突出部８ａの境界部分の折り目線６の中央部には、前記差込み舌片１３ａと同一形状の差込み舌片を差し込むことのできる切込み１８ａが折り目線６に沿って形成してある。
【００１８】
次に、後面側板３の三角形状突出部の周囲に延設されている紙片の構成ついて説明する。後面側板３の５個の後面側突出部９ａ〜９ｅの周囲に延設された紙片の構成も同じであるので第１の後面側突出部９ａについて説明する。
【００１９】
第１の後面側突出部９ａにおける突出方向右境界には、折り目線７を介して矩形の側壁片２１ａが延設してある。側壁片２１ａの延設方向の幅は、組立式包装箱１の内部空間が必要とする厚み寸法に等しくしてある。側壁片１１ａにおける前記突出方向右境界に対向する縁部の中央部には、折り目線２２ａを介して差込み舌片２３ａが突設して設けてある。その形状は、前面側板２に設けた差込み舌片１３ａと同一である。
【００２０】
第１の後面側突出部９ａにおける突出方向左境界には、折り目線７を介して台形の折込み片２７ａが延設してある。折込み片２７ａと後面側突出部９ａの境界部分の折り目線７の中央部には、前記差込み舌片１３ａを差し込むための切込み２８ａが折り目線７に沿って形成してある。
【００２１】
次に、このような構成の前面側板２、後面側板３を用いる組立式包装箱１の組立て方を図４を参照して説明する。前面側板２の星形五角形状部４周囲に延設された各紙片は、図４の（１）に示すように全て後面側板３側に直角に折り曲げる。後面側板３の星形五角形状部５周囲に延設された各紙片は、図４の（２）に示すように全て前面側板２に直角に折り曲げる。そして、折り曲げた状態で断面が星形五角形で所定厚みの内部空間が形成されるように重ね合わせる。
【００２２】
前面側板２、後面側板３の相互の固定は、第１の前面側突出部８ａと第１の後面側突出部９ａに付いて説明すると、側壁片１１ａに延設された差込み舌片１３ａを折り目線１２ａで折り曲げて折込み片２７ａの切込み２８ａに挿入する。次に、側壁片１１ａに延設されたフラップ１５を折り目線１４ａで鋭角に折り曲げる。そして、折り曲げたフラップ１５と折込み片１７ａの上に側壁片２１ａを重ね、側壁片２１ａに延設された差込み舌片２３ａを折り目線２２ａで折り曲げて折込み片１７ａの切込み１８ａに挿入する。こうすることにより第１の前面側突出部８ａと第１の後面側突出部９ａとが相互に結合して固定される。残り４個の前面側突出部８ｂ〜８ｅ、後面側突出部９ｂ〜９ｅも同様の方法で相互に結合して固定させる。これにより図１、図２に示した形状の組立式包装箱１が完成する。
【００２３】
組立式包装箱１内への菓子等の出し入れのためには、例えば、後面側板３の側壁片２１ｅに延設された差込み舌片２３ｅを前面側板２の切込み１８ｅから抜き取り、側壁片２１ｅを倒す。これにより側壁片２１ｅが塞いでいた部分に入口１９が図５に示すように確保される。この差込み舌片２３ｅの切込み１８ｅからの抜き取りを容易にするため、切込み１８ｅに接する第５の前面側突出部８ｅ側には切込み１８ｅの長さより短い長さを直径とする半円状の切欠き２０を、その中心を切込み１８ｅの中央に位置して設けてある。
【００２４】
以上説明したような構成により外観が星形五角形状の組立式包装箱を製作することができる。この組立式包装箱１は２枚の前面側板２と後面側板３のみを用いて接着剤を使用することなく短時間で組み立てでき、製作コストも安くなる利点がある。組立て前までは板状であるため輸送運賃や保管スペースも少なくて済む。外観形状は星形五角と魅力的であるため、子供向け菓子などを入れて販売する包装箱として好適である。
【００２５】
（第２の実施形態）
本実施形態は前述した組立式包装箱１の変形実施形態であり類似点が多い。このため図中、組立式包装箱１と同一又は相当部分には同一符号を付してその説明を繰り返さない。図６は、第２の実施形態に係る組立式包装箱１ａの展開平面図であり、図６の（１）は図２の斜視図において前側に位置する前面側板２ａの外面側から見た展開平面図、図６の（２）は後側に位置する後面側板３ａの内面側から見た展開平面図である。本実施形態の前面側板２ａ、後面側板３ａが図３に示した第１の実施形態に係る前面側板２、後面側板３と異なる点は、側壁片と差込み舌片の形状にある。最初に前面側板２ａについて、それらの違いを説明する。
【００２６】
第１の相違点は、前面側板２ａの第１〜第５の前面側突出部８ａ〜８ｅに折り目線６を介して延設された矩形の側壁片１１ａ〜１１ｅにおける延設左縁部の先端寄り部分に、幅の狭い小矩形片３１ａ〜３１ｅが突出して延設してある点である。第２の相違点は、側壁片１１ａ〜１１ｅに延設された差込み舌片１３ａ〜１３ｅの形状である。図７の（１）に、その一つである差込み舌片１３ａの形状を示す。差込み舌片１３ａは、突出端側の２つの角を切欠いて丸みをもたせ、折り目線１２ａ側の基部には一方から折り目線１２ａに平行に細い溝状切込み３２ａが設けてある。全体として鉤状に形成してある。
【００２７】
図７の（２）は、その差込み舌片１３ａを後面側板３ａの切込み２８ａに差し込んだ状態を示している。差し込んだ状態では、差込み舌片１３ａの鉤状先端部３３ａが相手側の折込み片２７ａにおける切込み２８ａの形成されていない折り目線７部に当接して引っ掛かるようにしてある。これにより差込み舌片１３ａは、折り目線７に直角の方向には容易には引き抜くことができないようになっている。差込み舌片１３ａの突出端側の２つの角が切欠いてあるのは、切込み２８ａへの差し込みを容易にするためである。
【００２８】
次に後面側板３ａにおける形状の相違点について説明する。第１の相違点は、後面側板３ａの第１〜第４の後面側突出部９ａ〜９ｄに折り目線７を介して延設された矩形の側壁片２１ａ〜２１ｄにおける延設右縁部には、その先端寄り部分に前記小矩形片３１ａ〜３１ｅよりは幅広の第２の小矩形片４１ａ〜４１ｄが突出して延設してある点である。後面側突出部９ａ〜９ｄの各基端部から各第２の小矩形片４１ａ〜４１ｄの突出位置までの距離は、前記小矩形片３１ａの幅寸法以上にしてある。これは、後述するように、この第２の小矩形片４１ａ〜４１ｄが突出していない部分に小矩形片３１ａ〜３１ｅが当接することになるからである。なお、第５の後面側突出部９ｅにおける側壁片２１ｅには第２の小矩形片は設けてない。
【００２９】
第２の相違点は、側壁片２１ａ〜２１ｄに延設された差込み舌片２３ａ〜２３ｄの形状である。その形状は、上述した前面側板２ａの差込み舌片１３ａ〜１３ｅと同じ鉤状にしてある。なお、第５の後面側突出部９ｅにおける側壁片２１ｅの差込み舌片２３ｅは、鉤状にしないで第１の実施形態の場合と同じ台形にしてある。
【００３０】
組み立ては第１の実施形態の場合と同様に行なう。図４の（１）と同じように、前面側板２ａの星形五角形状部４の周囲に延設された各紙片は全て後面側板３ａ側に直角に折り曲げる。後面側板３ａの星形五角形状部５の周囲に延設された各紙片は、図４の（２）と同じように全て前面側板２ａ側に直角に折り曲げる。そして、折り曲げた状態で断面が星形五角形で所定厚みの内部空間が形成されるように重ね合わせる。
【００３１】
重ね合わせに際し、第２の実施形態で新たに設けた小矩形片３１ａ〜３１ｅ、第２の小矩形片４１ａ〜４１ｄは隣り合う相手側側壁片の下側に潜り込ませる。図８は、第１の前面側突出部８ａと第２の前面側突出部８ｂの基部付近の重ね合わせ状態を斜視図で示したものである。第２の小矩形片４１ａと小矩形片３１ｂが存在することにより、側壁片２１ａと側壁片１１ｂとの境界部が線と平面の接触となり隙間が生じなくなっている。
【００３２】
こうして組み立てた組立式包装箱１ａ内への菓子等の出し入れのためには、図９に示すように後面側板３ａの側壁片２１ｅに延設された差込み舌片２３ｅを前面側板２ａの切込み１８ｅから抜き取り、側壁片２１ｅを倒す。差込み舌片２３ｅの形状は１３ａのような鉤状ではなく台形に形成されているので抜き取りは容易である。また、側壁片２１ｅには４１ａのような第２の小矩形片が設けてないので倒すことも容易である。これにより側壁片２１ｅにより塞がれていた部分に入口１９が確保される。
【００３３】
以上説明したような構成により外観が星形五角形状の組立式包装箱１ａを製作することができる。この組立式包装箱１ａは、小矩形片３１ａ〜３１ｅと第２の小矩形片４１ａ〜４１ｄを設けたことにより、側壁片の端同士が接触する境界部が線と平面の接触となり隙間が生じなくなる。従って、その境界部から内部への異物の侵入が防止される。また、差込み舌片１３ａ〜１３ｅ、２３ａ〜２３ｄを鉤状にしたことにより側壁片１１ａ〜１１ｅ、２１ａ〜２１ｄが切込み１８ａ〜１８ｄ、２８ａ〜２８ｅから容易には抜けないこと、及び小矩形片３１ａ〜３１ｅと第２の小矩形片４１ａ〜４１ｄとが隣り合う相手側側壁片の下側に潜り込んでいることのため包装箱１ａの強度は著しく向上している。
【図面の簡単な説明】
【００３４】
【図１】本発明に係る組立式包装箱１を平面上に寝かせて置いた状態の斜視図である。
【図２】組立式包装箱１を平面上に立てて置いた状態の斜視図である。
【図３】組立式包装箱１の展開平面図である。
【図４】組立式包装箱１の組立て方を説明する図である。
【図５】組立式包装箱１における菓子等の出し入れ口の状態を示す図である。
【図６】第２の実施形態に係る組立式包装箱１ａの展開平面図である。
【図７】鉤状の差込み舌片１３ａの外形及び使用状態図である。
【図８】第１の前面側突出部８ａと第２の前面側突出部８ｂの基部付近の重ね合わせ状態の斜視図である。
【図９】組立式包装箱１ａにおける菓子等の出し入れ口の状態を示す図である。
【符号の説明】
【００３５】
図面中、１、１ａは組立式包装箱、２、２ａ４は前面側板、３、３ａは後面側板、６、７は折り目線、８ａ〜８ｅは三角形状突出部、８ａは第１の前面側突出部、８ｂは第２の前面側突出部、８ｃは第３の前面側突出部、８ｄは第４の前面側突出部、８ｅは第５の前面側突出部、９ａ〜９ｅは三角形状突出部、９ａは第１の後面側突出部、９ｂは第２の後面側突出部、９ｃは第３の後面側突出部、９ｄは第４の後面側突出部、９ｅは第５の後面側突出部、１１ａ〜１１ｅは側壁片、１２ａ〜１２ｅは折り目線、１３ａ〜１３ｅは差込み舌片、１４ａ〜１４ｅは折り目線、１５ａ〜１５ｅはフラップ、１７ａ〜１７ｅは折込み片、１８ａ〜１８ｅは切込み、２０は切欠き、２１ａ〜２１ｅは側壁片、２２ａ〜２２ｅは折り目線、２３ａ〜２３ｅは差込み舌片、２７ａ〜２７ｅは折込み片、２８ａ〜２８ｅは切込み、３１ａ〜３１ｅは小矩形片、３２ａ〜３２ｅは細い溝状切込み、３３ａ〜３３ｅは先端部、４１ａ〜４１ｄは第２の小矩形片、４２ａ〜４２ｄは細い溝状切込み、４３ａ〜４３ｄは先端部を示す。
【図１】
2009214885.tif 000003
【図２】
2009214885.tif 000004
【図３】
2009214885.tif 000005
【図４】
2009214885.tif 000006
【図５】
2009214885.tif 000007
【図６】
2009214885.tif 000008
【図７】
2009214885.tif 000009
【図８】
2009214885.tif 000010
【図９】
2009214885.tif 000011